(57)【要約】【課題】  誰でも手軽にいつでも健康診断ができる健康診断システム，方法およびプログラムを提供する。【解決手段】  ユーザ端末１０は操作スイッチ３０によりモードの選択を行い、選択したモードの情報を顔健康診断センタ２０に送付する。顔健康診断センタ２０では受信した選択モード情報から、選択モードに対応したＤＢを読み込む。例えば、診断モードの総合診断が選択された場合、顔健康診断センタ２０はユーザ端末１０の鏡端末１０２に問診票入力メッセージを表示し、ユーザ端末１０は自覚症状，食事内容，運動量などを入力して顔健康診断センタ２０に送信し、顔健康診断センタ２０は新規であればカルテを発行する。先ず顔面熱色診断を行い、続いて顔色むくみ診断を行う。顔健康診断センタ２０は総合診断後の対処をユーザ端末１０の鏡端末１０２に表示する。【選択図】      図１
2005065812.tif 000002
【特許請求の範囲】
【請求項１】
顔面の熱色測定を行い測定結果を前記顔健康診断センタに送信し前記顔健康診断センタから判定結果および前記改善指示による症状改善用のツボ指圧や体操を受信して表示するユーザ端末と、
前記ユーザ端末から前記測定結果を受信して判定し症状改善用のツボ指圧や体操による改善指示を前記ユーザ端末に送信する顔健康診断センタと、
前記ユーザ端末と前記顔健康診断センタをむすぶネットワークと、
を備える健康診断システム。
【請求項２】
前記ユーザ端末は、
顔面のむくみ測定を行い測定結果を前記顔健康診断センタに送信する手段を有する、
ことを特徴とする請求項１記載の健康診断システム。
【請求項３】
動作モードを選択して顔健康診断センタに送信する操作スイッチと、
顔全体，手，舌の各部を撮影し熱波光検知センサにより温度測定を行い熱数値に変換し色判定センサにより色を検知し色数値に変換し前記熱数値と前記色数値を前記顔健康診断センタに送信するサーモカメラと、
前記顔健康診断センタから受信した指示事項や診断解析結果を表示し前記顔健康診断センタからの質問事項に対する回答を入力して前記顔健康診断センタに送信する鏡端末と、
頭部に装着して血行促進波やツボ波や津波波動を発生させツボ指圧とマッサージを行う振動マスクと、
皮膚の電気抵抗値を測定してツボを検知し測定した電気抵抗値を前記顔健康診断センタに送信し前記顔健康診断センタで算出した指圧レベルまたは電気刺激レベルを受信してツボ指圧または電気治療を行うツボチェックローラと、
指に装着して血圧，脈拍および体温を測定し測定値を前記顔健康診断センタに送信する血脈体サックと、
スキャナＵ字駆動器で顔面の状態を読み取り検知情報を前記顔健康診断センタに送信する顔面スキャナと、を含むユーザ端末と、
前記サーモカメラ，前記鏡端末，前記顔面スキャナ，前記血脈体サック，前記振動マスク，および前記ツボチェックローラからの情報を受信して前記動作モードに合わせて診断プログラム群とＤＢ群とを使用して診断解析処理および改善指示作成処理を行い診断解析結果および改善指示事項を前記鏡端末に送信するソフト処理部と、
前記診断解析処理および改善指示作成処理を行う診断プログラム群と、
前記診断プログラム群が参照するＤＢ群と、を含む顔健康診断センタと、
前記ユーザ端末と前記顔健康診断センタをむすぶネットワークと、
を備える健康診断システム。
【請求項４】
ユーザ端末と顔健康診断センタとを含むシステムの健康診断方法であって、
前記ユーザ端末は、
顔面の熱色測定を行い、測定結果を前記顔健康診断センタに送信し、
前記顔健康診断センタは、
前記測定結果を判定し、症状改善用のツボ指圧や体操による改善指示を前記ユーザ端末に送信し、
前記ユーザ端末は、
前記判定結果および前記改善指示による症状改善用のツボ指圧や体操を表示する、
ことを特徴とする健康診断方法。
【請求項５】
前記ユーザ端末は、
顔面のむくみ測定を行い、測定結果を前記顔健康診断センタに送信する、
ことを特徴とする請求項４記載の健康診断方法。
【請求項６】
ユーザ端末と顔健康診断センタとを含むシステムの健康診断方法であって、
前記ユーザ端末は、
サーモカメラで顔全体，手，舌の各部を撮影して熱数値と色数値に変換し、
指に装着した血脈体サックで血圧，脈拍，体温を測定し、
前記熱数値，前記色数値，前記血圧，前記脈拍および前記体温を前記顔健康診断センタに送信し、
前記顔健康診断センタは、
前記熱数値から体温ＭＡＰおよび色数値から色ＭＡＰを作成し、
本人の立体像を作成し前記体温ＭＡＰから各部位の測定体温と通常体温を比較照合して体温差に応じて濃淡色をつけ、
前記本人立体像を前記ユーザ端末に送信し、
前記ユーザ端末は、
前記本人立体像を表示し、
前記顔健康診断センタは、
前記体温ＭＡＰから各部位の冷えや火照りの有無を判定し、前記色ＭＡＰから顔手舌の色判定を行い、総合判定結果を前記ユーザ端末に送信し、
症状改善用のツボ指圧や体操による改善指示を前記ユーザ端末に送信し、
前記ユーザ端末は、
前記総合判定結果を表示し、
前記改善指示による症状改善用のツボ指圧や体操を表示する、
ことを特徴とする健康診断方法。
【請求項７】
前記ユーザ端末は、
サーモカメラで顔全体を撮影して顔撮影情報（サーモカメラ情報）を前記顔健康診断センタに送信し、
顔面スキャナで顔面情報を読み取りスキャナ情報を前記顔健康診断センタに送信し、
前記顔健康診断センタは、
前記スキャナ情報と前記サーモカメラ情報とから立体画像を作成し作成した立体画像を前記ユーザ端末に送信し、
前記ユーザ端末は、
前記立体画像を受信して表示し、
前記顔健康診断センタは、
前記スキャナ情報から検知したしわ，あざ，むくみ，つやの量，長さ，深さの増減を過去データと比較照合して算出し診断結果を前記ユーザ端末に送信し、
症状改善用のツボ指圧や体操による改善指示を前記ユーザ端末に送信し、
前記ユーザ端末は、
前記総診断結果を表示し、
前記改善指示による症状改善用のツボ指圧や体操を表示する、
ことを特徴とする請求項６記載の健康診断方法。
【請求項８】
前記ユーザ端末は、
症状メニューを表示し、
治療したい症状を選択して前記顔健康診断センタに送信し、
前記顔健康診断センタは、
前記ユーザ端末に本人画像を表示してツボポイントを赤点で表示する、
ことを特徴とする請求項６記載の健康診断方法。
【請求項９】
前記ユーザ端末は、
症状メニューを表示し、
治療したい症状を選択して前記顔健康診断センタに送信し、
前記顔健康診断センタは、
振動マスクの装着指示を前記ユーザ端末に表示し、
頭部全体のマッサージかツボポイント指圧かの確認を前記ユーザ端末に表示し、
前記ユーザ端末は、
頭部全体のマッサージかツボポイント指圧かを選択して前記顔健康診断センタに送信し、
前記顔健康診断センタは、
症状に合わせて頭部マッサージ用振動信号またはツボポイントに対する振動信号を前記振動マスクに送信し、
前記振動マスクは、
前記頭部マッサージ用振動信号または前記ツボポイントに対する振動信号に応じて頭部全体のマッサージまたはツボポイント指圧を行う、
ことを特徴とする請求項６記載の健康診断方法。
【請求項１０】
前記ユーザ端末は、
症状メニューを表示し、
治療したい症状を選択して前記顔健康診断センタに送信し、
前記顔健康診断センタは、
ツボチェックローラの使用指示を前記ユーザ端末に表示し、
前記ツボチェックローラは、
ツボ検知子で皮膚の電気抵抗値を測定してツボを検知し、測定した電気抵抗値を前記顔健康診断センタに送信し、
前記顔健康診断センタは、
前記電気抵抗値からツボポイントの疲労度レベルを算出し、
前記算出したツボポイントの疲労度レベルに応じた指圧レベルまたは電気刺激レベルを前記ツボチェックローラに送信し、前記ツボチェックローラの指圧スイッチまたは電気スイッチのランプを点滅させて通知し、
前記ツボチェックローラは、
指圧スイッチまたは電気スイッチの押下にて、指圧または電気治療を行う、
ことを特徴とする請求項６記載の健康診断方法。
【請求項１１】
ユーザ端末と顔健康診断センタとを含むシステムの健康診断プログラムであって、
コンピュータに、
前記ユーザ端末が、
顔面の熱色測定を行う機能、測定結果を前記顔健康診断センタに送信する機能、
前記顔健康診断センタが、
前記測定結果を判定する機能、症状改善用のツボ指圧や体操による改善指示を前記ユーザ端末に送信する機能、
前記ユーザ端末が、
前記判定結果および前記改善指示による症状改善用のツボ指圧や体操を表示する機能、
を実現させるための健康診断プログラム。
【請求項１２】
前記ユーザ端末が、
顔面のむくみ測定を行う機能、測定結果を前記顔健康診断センタに送信する機能、
を実現させるための請求項１１記載の健康診断プログラム。
【発明の詳細な説明】
【技術分野】
【０００１】
本発明は、健康診断システム，方法およびプログラムに関し、特に健康診断センタと通信網でむすび誰でも手軽にいつでも健康診断ができる健康診断システム，方法およびプログラムに関する。
【背景技術】
【０００２】
従来の健康管理システムの一例として、特許文献１には、会員はモデム付き健康診断装置あるいは簡易型健康診断装置を用いて、自宅や会社から自分の健康の検査結果を医療機関に通知し、医療機関はその検査結果をチェックして、医師による診断や治療が必要な場合にはこれを通知すると共に、それ以外の場合も含めて各会員に健康を維持するためのアドバイスをネットを介して行うことが公開されている。
【０００３】
また、ツボ電気治療器の一例として、特許文献２には、表示装置に人体のツボ位置を表示し、症状にあった周波数、電圧の刺激を発生し、一般の人にもツボの温熱および電気刺激治療が行えるツバ表示型電気治療器について公開されている。
【０００４】
【特許文献１】特開２００１−３３８０７１号公報
【０００５】
【特許文献２】実開平６−３１７３４号公報
【発明の開示】
【発明が解決しようとする課題】
【０００６】
上述した背景技術では、以下のような問題点がある。
【０００７】
すなわち、特許文献１においては、血圧や脈拍等の検査結果から医師が診断を行うが、皮膚温度やむくみ等の顔から発する情報および体のツボが発する体の疲労度を有効に活用していないということである。
【０００８】
また、特許文献２においては、人体のツボ位置を表示して家庭で個人がツボ刺激を行うが、過去のツボ指圧履歴データや健診センタ側のツボ指圧指導を参考にしながらツボ指圧を行うことができないということである。
【０００９】
本発明の目的は、顔から発する情報を有効に活用して健康診断を行う健康診断システム，方法およびプログラムを提供することにある。
【００１０】
また、本発明の他の目的は、ツボが発する体の疲労度を有効に活用して健康診断を行う健康診断システム，方法およびプログラムを提供することにある。
【課題を解決するための手段】
【００１１】
本願第１の発明の健康診断システムは、顔面の熱色測定を行い測定結果を前記顔健康診断センタに送信し前記顔健康診断センタから判定結果および前記改善指示による症状改善用のツボ指圧や体操を受信して表示するユーザ端末と、前記ユーザ端末から前記測定結果を受信して判定し症状改善用のツボ指圧や体操による改善指示を前記ユーザ端末に送信する顔健康診断センタと、前記ユーザ端末と前記顔健康診断センタをむすぶネットワークと、を備える。
【００１２】
本願第２の発明の健康診断システムは、第１の発明において前記ユーザ端末は、顔面のむくみ測定を行い測定結果を前記顔健康診断センタに送信する手段を有する。
【００１３】
本願第３の発明の健康診断システムは、動作モードを選択して顔健康診断センタに送信する操作スイッチと、顔全体，手，舌の各部を撮影し熱波光検知センサにより温度測定を行い熱数値に変換し色判定センサにより色を検知し色数値に変換し前記熱数値と前記色数値を前記顔健康診断センタに送信するサーモカメラと、前記顔健康診断センタから受信した指示事項や診断解析結果を表示し前記顔健康診断センタからの質問事項に対する回答を入力して前記顔健康診断センタに送信する鏡端末と、頭部に装着して血行促進波やツボ波や津波波動を発生させツボ指圧とマッサージを行う振動マスクと、皮膚の電気抵抗値を測定してツボを検知し測定した電気抵抗値を前記顔健康診断センタに送信し前記顔健康診断センタで算出した指圧レベルまたは電気刺激レベルを受信してツボ指圧または電気治療を行うツボチェックローラと、指に装着して血圧，脈拍および体温を測定し測定値を前記顔健康診断センタに送信する血脈体サックと、スキャナＵ字駆動器で顔面の状態を読み取り検知情報を前記顔健康診断センタに送信する顔面スキャナと、を含むユーザ端末と、前記サーモカメラ，前記鏡端末，前記顔面スキャナ，前記血脈体サック，前記振動マスク，および前記ツボチェックローラからの情報を受信して前記動作モードに合わせて診断プログラム群とＤＢ群とを使用して診断解析処理および改善指示作成処理を行い診断解析結果および改善指示事項を前記鏡端末に送信するソフト処理部と、前記診断解析処理および改善指示作成処理を行う診断プログラム群と、前記診断プログラム群が参照するＤＢ群と、を含む顔健康診断センタと、前記ユーザ端末と前記顔健康診断センタをむすぶネットワークと、を備える。
【００１４】
本願第４の発明の健康診断方法は、ユーザ端末と顔健康診断センタとを含むシステムの健康診断方法であって、前記ユーザ端末は、顔面の熱色測定を行い、測定結果を前記顔健康診断センタに送信し、前記顔健康診断センタは、前記測定結果を判定し、症状改善用のツボ指圧や体操による改善指示を前記ユーザ端末に送信し、前記ユーザ端末は、前記判定結果および前記改善指示による症状改善用のツボ指圧や体操を表示する、ことを特徴とする。
【００１５】
本願第５の発明の健康診断方法は、第４の発明において前記ユーザ端末は、顔面のむくみ測定を行い、測定結果を前記顔健康診断センタに送信する、ことを特徴とする。
【００１６】
本願第６の発明の健康診断方法は、ユーザ端末と顔健康診断センタとを含むシステムの健康診断方法であって、前記ユーザ端末は、サーモカメラで顔全体，手，舌の各部を撮影して熱数値と色数値に変換し、指に装着した血脈体サックで血圧，脈拍，体温を測定し、前記熱数値，前記色数値，前記血圧，前記脈拍および前記体温を前記顔健康診断センタに送信し、前記顔健康診断センタは、前記熱数値から体温ＭＡＰおよび色数値から色ＭＡＰを作成し、本人の立体像を作成し前記体温ＭＡＰから各部位の測定体温と通常体温を比較照合して体温差に応じて濃淡色をつけ、前記本人立体像を前記ユーザ端末に送信し、前記ユーザ端末は、前記本人立体像を表示し、前記顔健康診断センタは、前記体温ＭＡＰから各部位の冷えや火照りの有無を判定し、前記色ＭＡＰから顔手舌の色判定を行い、総合判定結果を前記ユーザ端末に送信し、症状改善用のツボ指圧や体操による改善指示を前記ユーザ端末に送信し、前記ユーザ端末は、前記総合判定結果を表示し、前記改善指示による症状改善用のツボ指圧や体操を表示する、ことを特徴とする。
【００１７】
本願第７の発明の健康診断方法は、第６の発明において前記ユーザ端末は、サーモカメラで顔全体を撮影して顔撮影情報（サーモカメラ情報）を前記顔健康診断センタに送信し、顔面スキャナで顔面情報を読み取りスキャナ情報を前記顔健康診断センタに送信し、前記顔健康診断センタは、前記スキャナ情報と前記サーモカメラ情報とから立体画像を作成し作成した立体画像を前記ユーザ端末に送信し、前記ユーザ端末は、前記立体画像を受信して表示し、前記顔健康診断センタは、前記スキャナ情報から検知したしわ，あざ，むくみ，つやの量，長さ，深さの増減を過去データと比較照合して算出し診断結果を前記ユーザ端末に送信し、症状改善用のツボ指圧や体操による改善指示を前記ユーザ端末に送信し、前記ユーザ端末は、前記総診断結果を表示し、前記改善指示による症状改善用のツボ指圧や体操を表示する、ことを特徴とする。
【００１８】
本願第８の発明の健康診断方法は、第６の発明において前記ユーザ端末は、症状メニューを表示し、治療したい症状を選択して前記顔健康診断センタに送信し、前記顔健康診断センタは、前記ユーザ端末に本人画像を表示してツボポイントを赤点で表示する、ことを特徴とする。
【００１９】
本願第９の発明の健康診断方法は、第６の発明において前記ユーザ端末は、症状メニューを表示し、治療したい症状を選択して前記顔健康診断センタに送信し、前記顔健康診断センタは、振動マスクの装着指示を前記ユーザ端末に表示し、頭部全体のマッサージかツボポイント指圧かの確認を前記ユーザ端末に表示し、前記ユーザ端末は、頭部全体のマッサージかツボポイント指圧かを選択して前記顔健康診断センタに送信し、前記顔健康診断センタは、症状に合わせて頭部マッサージ用振動信号またはツボポイントに対する振動信号を前記振動マスクに送信し、前記振動マスクは、前記頭部マッサージ用振動信号または前記ツボポイントに対する振動信号に応じて頭部全体のマッサージまたはツボポイント指圧を行う、ことを特徴とする。
【００２０】
本願第１０の発明の健康診断方法は、第６の発明において前記ユーザ端末は、症状メニューを表示し、治療したい症状を選択して前記顔健康診断センタに送信し、前記顔健康診断センタは、ツボチェックローラの使用指示を前記ユーザ端末に表示し、前記ツボチェックローラは、ツボ検知子で皮膚の電気抵抗値を測定してツボを検知し、測定した電気抵抗値を前記顔健康診断センタに送信し、前記顔健康診断センタは、前記電気抵抗値からツボポイントの疲労度レベルを算出し、前記算出したツボポイントの疲労度レベルに応じた指圧レベルまたは電気刺激レベルを前記ツボチェックローラに送信し、前記ツボチェックローラの指圧スイッチまたは電気スイッチのランプを点滅させて通知し、前記ツボチェックローラは、指圧スイッチまたは電気スイッチの押下にて、指圧または電気治療を行う、ことを特徴とする。
【００２１】
本願第１１の発明の健康診断プログラムは、ユーザ端末と顔健康診断センタとを含むシステムの健康診断プログラムであって、コンピュータに、前記ユーザ端末が、顔面の熱色測定を行う機能、測定結果を前記顔健康診断センタに送信する機能、前記顔健康診断センタが、前記測定結果を判定する機能、症状改善用のツボ指圧や体操による改善指示を前記ユーザ端末に送信する機能、前記ユーザ端末が、前記判定結果および前記改善指示による症状改善用のツボ指圧や体操を表示する機能、を実現させる。
【００２２】
本願第１２の発明の健康診断プログラムは、第１１の発明において前記ユーザ端末が、顔面のむくみ測定を行う機能、測定結果を前記顔健康診断センタに送信する機能、を実現させる。
【発明の効果】
【００２３】
本発明の第１の効果は、顔から発する情報により、誰でも手軽にいつでも健康診断ができることである。
【００２４】
その理由は、サーモグラフカメラで顔から発する情報（皮膚温度，むくみ，ゆがみ，色など）を取り込み、本人も気づかない前兆を検知して診断し、症状改善のための体操やツボ指圧を表示するようにしたからである。
【００２５】
本発明の第２の効果は、体のツボが発する体の疲労度により、誰でも手軽にいつでも健康診断ができることである。
【００２６】
その理由は、ツボチェックローラによりツボが発する体の疲労度を測定して診断し、症状改善のための体操やツボ指圧を表示するようにしたからである。
【発明を実施するための最良の形態】
【００２７】
本発明は、健康診断センタと通信網でむすび誰でも手軽にいつでも健康診断ができる健康診断システム，方法およびプログラムに関するものである。本発明は、以下に示す特徴を有する。
（１）顔、手、舌の皮膚温度をサーモグラフィティカメラで撮影し、その映像信号から温度の数値化及び色識別する機能を有することにより、火照り、冷えが客観視できること。更に部分的か全体的に及んでいるかを検証することで血行障害、体の歪み、内臓疾患まで検証できる。
（２）顔のしわ、むくみ、しみ、そばかすの計測と記憶する機能を有していることにより、症状の軌跡が直視でき適切且つ早めの対処ができること、その改善効果が確認できる。
（３）本人の顔写真から理想の笑顔作成、本人の音声から理想の笑い声作成、本人の呼吸音から理想の呼吸リズム作成、本人の立体映像の作成と、その映像にツボポイント及び一本の経絡を表示する機能により、センタからの改善指示が解りやすくなる。笑顔と笑い声の実践でストレス解消効果、免疫力向上効果がある。ツボポイントと経絡の表示により関連する部位が明確になつて改善体操がより理解できる。
（４）センタ側で皮膚温度、色、つや具合、体温、血圧、脈拍、ツボの抵抗値の各計測数値から判断できる症状のデータバンクを有していることで、本人も気づかない体調不良の前兆までを通知する機能を有する。本人が訴える自覚症状を検証し、過去データ及び計測数値とを比較照合して、体が発する微妙なシグナルの軌跡を通知する機能を有する。
（５）各症状に応じた体の不具合改善の為、顔、手、上半身、足に集中しているツボに対して指圧、電気治療位置及び改善体操を指示し、その場で改善させる機能を有する。
（６）お肌の荒れた部位に対して、直接マイナスイオンとビタミン水を噴霧、更に潤い定着用に遠赤外線、太陽光線を、施す機能を有し、その場で即時改善する。
（７）振動マスクの使用で、顔面および体全体に対して指圧効果と血行快復効果が得られる。
（８）顔の温度変化を振動マスク内蔵の温度センサで監視する機能を有し振動マッサージの強弱は顔表面温度に応じてコントロールできる。
（９）ツボの電気抵抗値を測定する機能を有し、その測定値が体の疲労度に比例しているため、自覚症状と合致していれば、即原因が明確にできる。自覚症状がない場合は、体調不良の前兆として認識でき早期の改善ができる。
（１０）体中のツボを探しながら、その場で指圧棒による指圧と電気治療ができる。本発明は手動式と自動式を用意する。
（１１）（ａ）サーモカメラ１０１の連続自動撮影機能、（ｂ）おでこに発生する微妙な皮膚温度を捉えた濃淡カラーを温度数値に変換する機能、（ｃ）サーモカメラの皮膚温度値と血圧脈拍体温の各数値を総合判定して訓練の進捗を見極める機能、（ｅ）鏡端末１０２に、リラックスグラフとしてリアルタイムに表示する機能、（ｄ）訓練用の映像や音を訓練の進み具合により、センタから配信する機能、の五つを有することにより、自律訓練やイメージトレーニングが効率よくできる。
【００２８】
本発明の実施の形態の構成について、図面を参照して詳細に説明する。
図１は、本発明の実施の形態の全体の構成を示す図である。
図２は、サーモカメラ１０１の構成を示す図である。
図３は、顔面スキャナ１０９の構成を示す図である。
図４は、顔面スキャナの処理構成を示す図である。
図５は、顔面スキャナの（ａ）上断面図（ｂ）側面図である。
図６は、振動マスクの（ａ）正面図（ｂ）側面図（ｃ）断面図である。
図７は、ツボチェック手動ローラ１０４の構成図である。
図８は、ツボチェック手動ローラ１０４の断面図である。
図９は、ツボチェック手動ローラ１０４のスキャン方向前面図である。
図１０は、ツボチェック手動ローラ１０４のスキャン方向後面図である。
図１１は、ツボチェック手動ローラ１０４とツボ抵抗値の関係図である。
図１２は、ツボチェック半自動ローラ１０５の断面図である。
図１３は、ツボチェック半自動ローラ１０５の手足移動図である。
図１４は、ツボチェック半自動ローラ１０５の胴移動図である。
図１５は、顔面１６分割図である。
図１６は、舌１０分割図である。
図１７は、右手甲１０分割図である。
【００２９】
本発明は、図１に示すように、ユーザ端末１０と、顔健康診断センタ２０と、病院３００とを備え、各々はインターネット等のネットワーク１００を介して接続されている。
【００３０】
ユーザ端末１０は、プログラム制御で動作するパーソナルコンピュータ等の情報処理装置で、操作スイッチ３０と、サーモカメラ１０１と、鏡端末１０２と、振動マスク１０３と、ツボチェック手動ローラ１０４と、ツボチェック半自動ローラ１０５と、血脈体サック１０６と、プリンタ１０７と、通信機１０８と、顔面スキャナ１０９と、を含んでいる。
【００３１】
顔健康診断センタ２０は、プログラム制御で動作するサーバ等の情報処理装置で、ソフト処理部２０１と、診断プログラム群２０２と、ＤＢ（データバンク）群２０３と、を有している。
【００３２】
病院３００は、プログラム制御で動作するサーバ等の情報処理装置で、顔健康診断センタ２０から情報提供を受信する機能、情報提供に対する返答を顔健康診断センタ２０に送信する機能などを有する。
【００３３】
上記の各構成要素について説明する。
【００３４】
操作スイッチ３０は、動作モードを選択する機能、選択した動作モードを顔健康診断センタ２０に送付する機能を有する。動作モードの詳細については、後述する。
【００３５】
サーモカメラ１０１は、図２に示すように、サーモグラフィティ機能カメラで捉えた表面温度アナログ信号および表面色信号をそのまま熱波光検知センサおよび色判定センサに取り込み、暖かい赤色から冷えた青色までの濃淡カラーを示すアナログ温度情報を熱数値化する機能を有する。顔および手のひらから発している熱を濃淡カラーで表示するだけでなく、表面体温（３３度から４５度まで）を数値化表示することにより、ソフト処理が容易にできる。サーモカメラ１０１をサーモグラフィティモードにして鏡端末１０２に顔全体，手，舌の各部を順次指示して撮影する。顔手舌の１６箇所測定用熱波光検知センサにより温度測定を行い（図１５〜図１７参照。右手ひら，左手甲，左手ひらの１０分割は図１７の右手甲１０分割と同様である。）、熱数値に変換する。色判定センサにより顔，手，舌の各部位の色を検知し、色判定処理で色数値に変換する。熱数値と色数値を顔健康診断センタ２０に送付する。更に、拡大ズーム機能、広角ズーム機能、通常カラー写真機能を有するＣＣＤカメラを内蔵しており、顔の画像、皮膚細胞拡大図を撮影し、顔健康診断センタ２０へ自動送付する。また、オフラインでは、鏡端末１０２と連動し、本人の顔を撮影して鏡端末１０２に表示し、通常の鏡の用に供する。
【００３６】
鏡端末１０２は、通常は鏡の役割であり、また、問診票の入力用としてタッチパネルを内蔵し、顔健康診断センタ２０側での診断結果を表示するＬＣＤ機能を有する。更に、本人の立体像や笑顔、ツボと経絡の位置、改善体操やイメージトレーニング用の各種映像と音、訓練進捗具合のイメージ図を顔健康診断センタ２０より受信して本人への通知として表示する機能、音声出力する機能を有する。また、音声入力機能を有する。
【００３７】
振動マスク１０３は、導電性の高いソフトなマスクで厚さ約３センチである。中はゼリー状態で振動を頭部全体に伝える。ツボ指圧とマッサージ機能を有する。なお、振動マスク１０３の詳細については、後述する。
【００３８】
ツボチェック手動ローラ１０４は、小金属片のツボ検知子１０４１を表面に装着しており、体に直接当てて、皮膚の電気抵抗値を測定する機能を有し、その数値によりツボを検知する機能、その数値を顔健康診断センタ２０へ送付する機能を有する。顔健康診断センタ２０は、受信した数値からツボが示す疲労度具合を算出し鏡端末１０２にフィードバック表示する。なお、ツボチェック手動ローラ１０４の詳細については、後述する。
【００３９】
ツボチェック半自動ローラ１０５は、ツボチェック手動ローラ１０４と仕組みは同様であるが、半自動でローラが腕、足、胴体を移動する機能を有する。なお、ツボチェック半自動ローラ１０５の詳細については、後述する。
【００４０】
血脈体サック１０６は、指に装着して血圧、脈拍、体温を常時測定し、顔健康診断センタ２０へ自動送付する機能を有する。血脈体サック１０６は、どのモードでも指に装着しておき、本測定値は各モードでの基礎データとして活用される。なお、モードについては後述する。
【００４１】
プリンタ１０７は、診断結果等の画像とコメントを記録として残すための印刷装置である。
【００４２】
通信機１０８は、顔健康診断センタ２０との通信機能を有する。
【００４３】
顔面スキャナ１０９は、しわやむくみ及びあざの長さ、深さ、量を測定する装置である。日常、鏡で見る顔を更に詳細に見ることと記憶するために使用される。なお、顔面スキャナ１０９の詳細については、後述する。
【００４４】
ソフト処理部２０１は、
（１）サーモカメラ１０１から熱数値，色数値，映像信号、
（２）顔面スキャナ１０９から皮膚断面情報，反射光の検知情報、
（３）水分計１０９１情報、
（４）血脈体センサ（血脈体サック１０６）情報、
（５）振動マスク１０３からの温度情報、
（６）ツボチェックローラ（手動、自動）からのツボ検知情報、
（７）笑顔大笑いモード（笑顔作りモード）からの笑い声、
（８）自己暗示訓練モード（自律訓練モード）からの皮膚温度，呼吸音、
を受信後、各モードに合わせて診断プログラム群２０２とＤＢ群２０３とを使用してソフト処理を行い、計算、判定、改善体操指示、ツボ指圧指示、呼吸指示、自己暗示進捗表示、立体像表示、笑顔、大笑い理想形表示、コメントを鏡端末１０２に応答表示する機能を有する。更に、過去データとの比較照合と軌跡表示を行う機能、鏡端末１０２へ問診票を表示する機能、問診票入力データの解析を行う機能、問診票解析結果をＤＢ群２０３に格納し鏡端末１０２に送信する機能を有する。問診票画面は、新規／継続／更新、痛み，しびれ，違和感，疲れ，だるさ、食事内容，たばこ，酒，睡眠、運動量，病気歴，平熱，血圧，脈拍、等の項目から構成される。各モードの推移をすべてカルテに更新する機能を有する。更に、病院への情報提供する機能を有する。
【００４５】
診断プログラム群２０２は、各種の診断プログラムからなる。
【００４６】
ＤＢ群２０３は、診断時に各種の診断プログラムが使用する各種のＤＢ（データバンク）を含んでいる。具体的には、特別判定（ＤＢ１），色判定（ＤＢ２），距離計算（ＤＢ３），しわむくみ検知（ＤＢ４），つや硬度判定（ＤＢ５），振動波（ＤＢ６），熱診断用（ＤＢ７），カルテ保存（ＤＢ８），ツボ検索（ＤＢ９），むくみ（ＤＢ１０），皮膚形状（ＤＢ１１），耳舌診断（ＤＢ１２），手足診断（ＤＢ１３），胸背診断（ＤＢ１４），腹腰診断（ＤＢ１５），笑顔体操笑い声作成（ＤＢ１６），顔色診断（ＤＢ１７），体温ＭＡＰ（ＤＢ１８），立体画像（ＤＢ１９），ツボＭＡＰ（ＤＢ２０），指圧調整（ＤＢ２１），電気治療（ＤＢ２２），振動マスク用（振動子、温度センサー）（ＤＢ２３），ストレッチ体操指示（ＤＢ２４），病例データバンク（ＤＢ２５）である。
【００４７】
次に、動作モードの詳細について説明する。動作モードは４つのモードからなる。
・モード１は、診断モード（詳細診断Ａ，１，２の３項目）。
・モード２は  笑顔作りモード（笑顔と大笑い発声作りモード）。
・モード３は  ツボ指圧モード（ツボ治療モード）。
・モード４は、自律訓練モード。
【００４８】
診断モードでは、３つの詳細診断項目の中から診断項目を選択する。
・詳細診断Ａは、総合診断を行う。詳細診断１と詳細診断２とを順番に実施する。
・詳細診断１は、顔面熱色診断を行う。
・詳細診断２は、顔面むくみ診断を行う。
【００４９】
次に、振動マスク１０３の詳細について、図６を参照して説明する。図６の（ａ）に振動マスクの正面図を、（ｂ）に振動マスクの側面図を、（ｃ）に振動マスクの断面図を、示している。
【００５０】
振動マスク１０３は、頭全体に装着する頭部装着マスク１０３１と、振動波を出力しツボ指圧とマッサージ及びしわ伸ばしを行う振動子１０３２と、血行促進波（マッサージ）やツボ波や津波波動（シワ伸ばし）を発生させる振動波発生器１０３３と、振動効果のフィードバックとして皮膚温度を測定する温度センサ１０３４と、を含む。なお、振動マスク１０３と送信機１０８とは信号ケーブルで接続され、振動マスク１０３で採取したデータは送信機１０８経由で顔健康診断センタ２０に送信される。また、顔健康診断センタ２０からの指示は送信機１０８経由で受け取る。
【００５１】
頭全体に頭部装着マスク１０３１（但し目鼻口耳は穴空き）を付けて、
（１）頭部装着マスク１０３１の上から振動波発生器１０３３により振動波刺激（血行波）を与える。これにより、顔全体の血行改善を図る効果がある。
（２）問診票に基づいて該当するツボに振動波発生器１０３３により局部振動刺激（ツボ波）を与える。これにより、ツボ指圧の効果がある。密着型マスクでもある本マスクに本人の皮膚に合わせて振動波発生器１０３３により津波波動を起こして（津波波を与え）、頭皮を上下左右に引っ張る。これにより、しわ伸ばしの効果がある。
（３）頭部装着マスク１０３１の外側には内部に振動を与える振動子１０３２が全体に配置され、振動波発生器１０３３による振動波を振動子１０３２により内部に伝える。
（４）頭部装着マスク１０３１の内側には温度センサ１０３４が配置され、皮膚温度を測定する。
【００５２】
次に、ツボチェック手動ローラ１０４の詳細について、図７〜図１１を参照して説明する。
【００５３】
ツボチェック手動ローラ１０４は、図７に示すように、ツボ検知子１０４１と、回転計１０４２と、検索スイッチ１０４３と、電気スイッチ１０４４と、リセットスイッチ１０４５と、指圧スイッチ１０４６と、ツボ検知ランプ１０４７と、を含む。なお、ツボチェック手動ローラ１０４と送信機１０８とは信号ケーブルで接続され、ツボチェック手動ローラ１０４で採取したデータは送信機１０８経由で顔健康診断センタ２０に送信される。また、顔健康診断センタ２０からの指示は送信機１０８経由で受け取る。
【００５４】
ツボチェック手動ローラ１０４は、以下の機能を有する。
（１）小金属片のツボ検知子１０４１を表面に装着しており、体に直接当てて、皮膚の電気抵抗値を測定する機能を有し、その数値によりツボを検知し、且つツボ検知子１０４１が測定した皮膚の電気抵抗値を基にツボが示す疲労度具合を顔健康診断センタ２０側で算出し鏡端末１０２にフィードバック表示する。
（２）ツボ検知子１０４１がそのまま指圧棒となってツボを自動指圧する機能を有する。指圧加減は顔健康診断センタ２０側で算出する。
（３）本ローラーの巾は１０センチで各部位を回転して測定する。
（４）回転計１０４２を内蔵しており起点からの距離を計算し本人用のツボＭＡＰを作成する。
（５）この距離と、何番目のツボ検知子１０４１で検知したかで、ツボの名称検索ができる。
（６）ローラ移動中にツボ検知すると、お知らせ音の鳴動とランプ点灯を疲労具合に応じて音色と色で示す。
（７）リセットスイッチ１０４５は距離計算値をゼロクリアする。
（８）検索スイッチ１０４３はツボ検知を開始するスイッチである。
（９）指圧スイッチ１０４６はツボ検知した場所に指圧するスイッチである。
（１０）電気スイッチ１０４４はツボ検知した場所に電気治療を施す。本ローラに低周波治療器と同じ仕組みを組み込み、これを利用して電気治療を行う。
（１１）ローラ表面上に電気抵抗測定用の５ミリ四方のツボ検知子１０４１が組み込まれている。外側表面に皮膚にやさしい導電膜で覆われている。体と接触して電気抵抗を測る。
（１２）ローラーは手動により回転させる。
（１３）当てる部位は肩、腕、胸、首である。
（１４）体の曲線に沿ってツボ検知子１０４１が密着できるよう各個片が自在に動く仕組みである。
（１５）顔健康診断センタ２０で算出した指圧レベルまたは電気刺激レベルを受信して指圧スイッチ１０４６または電気スイッチ１０４４のランプを点滅させて通知し、指圧スイッチ１０４６または電気スイッチ１０４４の押下にてツボ指圧または電気治療を行う。
【００５５】
ツボ治療により体の歪み、血行障害、こり、疲れ、内臓疾患等が改善されることは現代医学でも承認済みである。治療前と後では、ツボの電気抵抗値が低減する事実をツボ検知子１０４１は利用している。問診票データの顔健康診断センタ２０側の分析により、必要箇所のツボ疲労度測定を鏡端末１０２を通じて指示する。順次ツボ疲労度データの解析を行い問診票との整合性を診る。結果を通知し、必要なツボ指圧、体操、食事メニューを指示する。
【００５６】
ツボチェック手動ローラ１０４の検知順は、
（１）額、
（２）右首から右頬いっぱい、
（３）左首から左頬いっぱい、
（４）右首から右肩いっぱい、
（５）左首から左肩いっぱい、
（６）左胸から右胸いっぱい、
（７）左肩から左ひじいっぱい、
（８）左脇下から左肘内側、
（９）左ひじから左手首、
（１０）右肩から右ひじいっぱい、
（１１）右脇下から右ひじ内側いっぱい、
（１２）右ひじから右手首、
（１３）後頭部てっぺんから首下いっぱい、
（１４）右首から右肩うしろいっぱい、
（１５）左首から左肩うしろいっぱい、
（１６）左肩胛骨から右肩胛骨いっぱい、
の順序である。
【００５７】
次に、ツボチェック半自動ローラ１０５の詳細について、図１２〜図１４を参照して説明する。
【００５８】
ツボチェック半自動ローラ１０５は、以下の機能を有する。
（１）腕、足、胴に絡み着く機構体である。
（２）半自動ローラは蛇腹伸縮バネ内蔵しており、移動のたびに空気圧を増減させ肌に密着する。
（３）前進後退は本ローラの蛇腹の伸縮で移動。
（４）蛇腹に空気を送り込み本ローラ全体を大きく膨らませる。
（５）前進の場合は前部リングが腕に固定され、後部全体が前に引き寄せられる。
（６）後部リングが固定され前部リングの蛇腹が前進する。
（７）蛇腹の一回の伸縮の移動で本ローラ巾分である。
（８）胴周りの移動は本ローラ内の前後のリング空気圧を更に低くして吸着しつつ、蛇腹行進していく。
（９）その他、ツボチェック手動ローラ１０４に準じた機能を有する。
空気圧の増減効果による移動は血行促進に有用で、ツボ指圧以上の改善となる。
【００５９】
図１３にツボチェック半自動ローラ１０５の手足移動図を、図１４にツボチェック半自動ローラ１０５の胴移動図を示す。
【００６０】
次に、顔面スキャナ１０９の詳細について、図３〜図５を参照し説明する。顔面スキャナ１０９は、図３に示すように、水分計１０９１と、あご台１０９２と、スキャナＵ字駆動器１０９３と、光源１０９４と、反射光検知センサ１０９５と、マイナスイオン・ビタミン噴射器１０９６と、を含む。顔面スキャナ１０９は、ＰＯＳ端末で使用のスキャナの薄型縦型版であり、相違点としては顔を固定台に置き、スキャナが顔の周囲を移動する方式である。動きとして、Ｕ字型（上顔左横〜右横迄の水平移動）から順次下方向へ垂直移動しながら読みとっていく。
【００６１】
鏡との相違点は、以下の通りである。
（１）読み取り顔情報（しわ、しみ、あざ、むくみ）を記憶できる。
（２）過去から現時点までの軌跡表示でき、現状認識が早くなり改善、予防もタイムリーにできる。
（３）主観を排除し、顔色、しわ、あざ、むくみ、つや等が客観視できる。
（４）細部は拡大倍密度スキャンにより微妙な皮膚細部に渡って顔情報を読みとることができる。
【００６２】
顔面スキャナ１０９は以下の機能を有し、顔健康診断センタ２０に対してソフトウエアで皮膚の立体処理できる情報を提供する。
（１）顔のしわ及びむくみ等の顔面の状態を読みとる機能。
（２）スキャン巾はＵ字型で全長７０センチ（自動移動）。
（３）レーダーと同じように一本の光を顔に当てその反射時間と反射光量を測定し皮膚のでこぼこを算出する機能。
（４）顔面からの反射光は、皮膚の凹凸だけでなく、つや、あざ、むくみ、炎症、髪、ひげ等により左右されるため周波数の違う四種類の光源（普通の皮膚用、あざしみそばかす用、むくみ炎症用、毛髪用）を使用し正確な顔面サーチを行う機能。
（５）皮膚のでこぼこの立体アナログ情報をデジタル変換する機能。
（６）スキャナ内蔵のカラーフィルター付き受光素子により皮膚のあざ、しみを検知し大きさを数値化する機能。
（７）反射光量の多さと水分計１０９１の数値により皮膚の角質の乾燥及び硬さを判断する機能。
（８）本人も気づかなかった細いシワの増減数、深さ等の見落としがなくなること。
（９）同スキャナでの検知情報は、顔健康診断センタ２０により過去分からの軌跡を動画風に鏡端末１０２に表示でき、しわ等の進み具合や改善状況が一目瞭然で認識できること。
（１０）あご台１０９２には水分計１０９１が内蔵しており、あご下で化粧の薄い皮膚の水分を測定する機能。
（１１）顔にマイナスイオンとビタミン水をマイナスイオン・ビタミン噴射器１０９６で噴霧し、水分補給と遠赤外線、太陽光で皮膚ケアーでダメージ修復をする機能。
【００６３】
図３，図４，図５を参照すると、顔面スキャナ１０９は皮膚の断面に対して四種の光源を当て、反射板に戻ってくる光の時間差と量で皮膚の凹凸及びつや度合いを検知して顔健康診断センタ２０に送信し、顔健康診断センタ２０は皮膚断面ＭＡＰを作成する。へこみの度合いをマイナス表示、でっぱり度合いはプラス表示とし、つや度合いはＡＢＣ表示とし、そのまま顔健康診断センタ２０に送付する。顔健康診断センタ２０側で皮膚の形状ＭＡＰを作成する。しわ、むくみ、あざ、乾湿、ガサガサ等の鑑識を行う。次に、色検知センサーで髪、ほくろ、口、まゆ、鼻等を検知した場合は皮膚情報から削除しソフト処理の負担軽減とする。
【００６４】
次に、本発明を実施するための最良の形態の動作について、図面を参照して詳細に説明する。
図１８は、準備の流れを示す図である。
図１９は、診断モードの流れを示す図（その１）である。
図２０は、診断モードの流れを示す図（その２）である。
図２１は、診断モードの流れを示す図（その３）である。
図２２は、診断モードの流れを示す図（その４）である。
図２３は、笑顔作りモードの流れを示す図である。
図２４は、ツボ指圧モードの流れを示す図（その１）である。
図２５は、ツボ指圧モードの流れを示す図（その２）である。
図２６は、自律訓練モードの流れを示す図である。
【００６５】
最初に、各動作モードに入る前の準備について、図１８を参照して説明する。
【００６６】
ステップ準備１において、ユーザ端末１０は、操作スイッチ３０により、動作モード（１〜４）の選択を行い、選択した動作モードの情報を顔健康診断センタ２０に送付する。
【００６７】
顔健康診断センタ２０では、受信した動作モード情報から、動作モードに対応したＤＢを読み込む。
【００６８】
次に、診断モードについて、図１９〜図２２を参照して説明する。なお、本動作の説明では、以下の前提の下で動作するものとして説明する。
・前提１として、顔健康診断センタ２０から本人への指示およびコメント並びに診断結果は、すべて鏡端末１０２に表示する。改善指示は、処置内容と実施期間、強さ具合を明確に表示する。
・前提２として、各モード実施後は、新データとしてカルテを更新登録する。
・前提３として、各診断の終わりには、再度の検査か，別の診断か，終了かを選択できるが、再検査を選択するものとする。
【００６９】
［１］診断モードの全体の流れについて説明する。
【００７０】
ステップＡ１において、ユーザ端末１０は、詳細診断項目（Ａ，１，２）を選択する指示メッセージを鏡端末１０２に表示する。
【００７１】
ステップＡ２において、ユーザ端末１０は、詳細診断項目を選択し、選択した詳細診断項目の情報を顔健康診断センタ２０に送付する。
【００７２】
顔健康診断センタ２０では、受信した選択詳細診断項目情報から、選択詳細診断項目に対応したＤＢを読み込む。
【００７３】
ここでは、詳細診断Ａ（総合診断）が選択されたものとして説明を続ける。
【００７４】
ステップＡ３において、ユーザ端末１０は、問診票入力メッセージを鏡端末１０２に表示し、自覚症状，食事内容，運動量およびカルテ番号を入力し、顔健康診断センタ２０へ送付する。今回の診断が初回の場合、カルテ番号ｘｘｘを入力することにより顔健康診断センタ２０側で（名前＋連番）を自動採番する。
【００７５】
ステップＡ４において、顔健康診断センタ２０は、新規の場合にはカルテを発行し、または継続改善中の場合には必要な処置法を鏡端末１０２に表示する。検査は血圧、脈拍、体温のみとする。更新の場合はカルテの読み込みと自覚症状に合った病例データバンク（ＤＢ２５）の読み込みを行う。
【００７６】
ステップＡ５において  顔面熱色診断を行う。なお、顔面熱色診断の詳細フローについては後述する。
【００７７】
ステップＡ６において、顔色むくみ診断を行う。なお、顔色むくみ診断の詳細フローについては後述する。
【００７８】
ステップＡ７において、総合診断後の対処を行う。なお、総合診断後の対処の詳細フローについては後述する。
【００７９】
［２］顔面熱色診断の流れについて、図２０を参照して説明する。
【００８０】
ステップ熱１において、サーモカメラ１０１をサーモグラフィティモードにして鏡端末１０２に顔全体，手，舌の各部を順次指示して撮影する。顔健康診断センタ２０に送付する。顔手舌の１６箇所測定用熱波光検知センサーにより温度測定を行い、熱数値に変換する。色判定センサーにより顔，手，舌の各部位の色を検知し、色判定処理で色数値に変換する。熱数値と色数値を顔健康診断センタ２０に送付する。また、指に装着している血脈体サック１０６で測定した血圧，脈拍，体温を顔健康診断センタ２０に送付する。
【００８１】
ステップ熱２において、顔健康診断センタ２０は、血脈体サック１０６情報をベースにして、熱数値による体温ＭＡＰおよび色数値から色ＭＡＰを作成する。また、本人の立体像を作成する。また、体温ＭＡＰから各部位の測定体温と通常体温を比較照合し、体温差に応じて濃淡色をつける。処理結果をユーザ端末１０に送信する。
【００８２】
ステップ熱３において、特別判定（口、鼻、耳）で各部位の冷え又は火照りの有無を判定する。本人の自覚の少ない部位であり、他部位との比較差が大きいかを特別判定する。隠れた血行障害の改善に有用である。
【００８３】
ステップ熱４において、ユーザ端末１０は、顔健康診断センタ２０で作成した体温差に応じて濃淡色をつけた本人立体像を鏡端末１０２に表示する。赤系の暖色は測定体温＞通常体温の場合、青系は通常体温より測定体温が低い場合を表す。
【００８４】
ステップ熱５において、顔健康診断センタ２０は、顔手舌の色判定を行う。各部位の血行障害、内臓疾患、むくみ、あざ、炎症の要因チェックする。過去データとの比較検証し、血圧脈拍体温データと問診票データを加味し総合判定する。総合判定結果をユーザ端末１０に送信する。また、症状改善用の指圧、体操、マッサージ、食事、運動を検索する。改善指示をユーザ端末１０に送信する。
【００８５】
ステップ熱６において、ユーザ端末１０は、総合判定結果（熱と色判定から推察できる症状および要因）を鏡端末１０２に通知表示する。特に問診票記載の食事内容との因果関係をコメント表示する。
【００８６】
ステップ熱７において、ユーザ端末１０は、改善指示（異常判定であっても自覚症状がない場合は、早期発見であり、血流の乱れを改善する顔面体操、顔面ツボ指圧、耳ツボ指圧、体歪み矯正体操、手のマッサージ、指圧、指体操を順次指示）を鏡端末１０２に表示する。
【００８７】
ステップ熱８において、ユーザ端末１０は、過去データの軌跡を濃淡カラーで順次表示し、顔および手の火照りや腫れ、炎症などの進み具合または前兆を鏡端末１０２に表示して本人に注意勧告する。
【００８８】
ステップ熱９において、ユーザ端末１０は、症状改善用の顔面および手（指）、舌体操と、必要なツボ指圧を再度鏡端末１０２に表示する。
【００８９】
ステップ熱１０において、再検査（熱１〜熱９まで実施）を行う。
【００９０】
ステップ熱１１において、ユーザ端末１０は、問診票メッセージを鏡端末１０２に表示し、再度自覚症状を記入し、顔健康診断センタ２０に送信する。顔健康診断センタ２０は、自覚症状改善の有無を確認し、今回の診断で得た情報をカルテに記録（カルテ更新）し、今後の治療方針を決定し、最終通告をユーザ端末１０に通知する。
【００９１】
ステップ熱１２において、ユーザ端末１０は、顔健康診断センタ２０から送信された最終通告（病院行きか、または継続自宅治療にするかの最終判断コメント）を表示し、本人が確認する。
【００９２】
［３］顔色むくみ診断の流れについて、図２１を参照して説明する。
【００９３】
ステップむ１において、ユーザ端末１０は、サーモカメラ１０１の（内蔵ＣＣＤモード）が連動で顔全体を自動撮影し、顔撮影情報（サーモカメラ情報）を顔健康診断センタ２０に自動送付する。
【００９４】
ステップむ２において、顔面スキャナ１０９を顔正面にセットする。
【００９５】
ステップむ３において、顔面スキャナ１０９は、顔（右横〜正面〜左横）Ｕ字型スキャン方向で上から下へと、顔面スキャナ１０９が移動しつつ顔面情報を読みとる。
【００９６】
ステップむ４において、顔面スキャナ１０９で読み取ったスキャナ情報（顔情報として皮膚の凹凸、むくみ、顔色、つや、くすみ、あざ、炎症情報）を顔健康診断センタ２０に送付する。
【００９７】
ステップむ５において、顔健康診断センタ２０は、顔情報からしわ、あざ等を識別する。更に、顔正面、右、左の三方のスキャナ情報とサーモカメラの写真情報から立体画像を作成する。作成した立体画像をユーザ端末１０に送信する。
【００９８】
ステップむ６において、ユーザ端末１０は、立体画像を鏡端末１０２に表示し、本人通知する。顔全体色は強調させた色で本人通知する。顔色から内臓疾患等が疑われる場合は、その旨警告し、即病院行きを表示する。更に、過去データ及び問診データを検証し、コメントを追加表示する。次に、必要ツボ指圧、顔面体操、体歪み体操を鏡端末１０２から指示する。
【００９９】
ステップむ７において、しわ検知ソフトが、しわ、あざ、むくみ、つやの量、長さ、深さの増減を過去データと比較照合して算出する。過去と比べて増減の大きい所に色づけして、軌跡を作成済みの立体画像に表示し本人に対して通知する。むくみの場合は、部分的か全体に及んでいるかにより、単に太っただけなのか熱色診断の算出データを検証、且つ、問診票データ（自覚症状）が医学的な因果関係にあるかを検証し、該当コメントを本人に診断結果として通知する。
【０１００】
ステップむ８において、該当コメントが無い場合、本人に警告として通知する。
【０１０１】
ステップむ９において、むくみ及び自覚症状解消用の顔面体操と、ツボ指圧を鏡端末１０２に指示表示する。または、振動マスク１０３使用の場合は、振動波量を顔健康診断センタ２０側で算出判断して、血行改善用の波動及び必要ツボの指圧を、振動マスク１０３に自動指示をかける。次に、振動マスク１０３内蔵の温度センサー情報を顔健康診断センタ２０にフィードバックすることにより振動波量を加減していく。
【０１０２】
ステップむ１０において、再検査（ステップむ１〜ステップむ９まで実施）
ステップむ１１において、問診票メッセージを鏡端末１０２に再表示し、自覚症状改善の有無を確認し、今回の診断で得た情報をカルテに記録する。
【０１０３】
ステップむ１２において、病院行きか、又は継続自宅治療にするかの最終判断を本人にコメントする。
【０１０４】
［４］総合診断後の対処の流れについて、図２２を参照して説明する。
【０１０５】
ステップ総１において、各診断結果が、すべてに異常なし、且つ、自覚症状も無しの時、良好メッセージを鏡端末１０２に送付して終了する。
【０１０６】
ステップ総２において、異常検知または過去データからの変化が見られた段階で、鏡端末１０２に色づけ表示で本人通知および考えられる要因をコメント表示する。
【０１０７】
ステップ総３において、総合改善体操を順次指示していく。
【０１０８】
ステップ総４において、深呼吸体操の指示する（鏡端末１０２に体操のやり方をサンプル表示する）。
【０１０９】
ステップ総５において、体全体のストレッチと基本指圧を指示送付する（鏡端末１０２に体操のやり方をサンプル表示する）。
【０１１０】
ステップ総６において、異常箇所に応じた改善用ストレッチ体操を指示する（鏡端末１０２に体操のやり方をサンプル表示する）。
【０１１１】
ステップ総７において、異常箇所に応じた顔面筋肉体操を指示する（鏡端末１０２に体操のやり方をサンプル表示する）。
【０１１２】
ステップ総８において、異常箇所に応じた改善用指圧ポイントを指示する（鏡端末１０２に体操のやり方をサンプル表示する）。
【０１１３】
ステップ総９において、サーモカメラ１０１（拡大サーモグラフモード）で異常箇所の撮影、再検証する。
【０１１４】
ステップ総１０において、顔健康診断センタ２０は、改善用の体操と指圧後の検証結果が良好であれば、診断終了メッセージを送付する。
【０１１５】
ステップ総１１において、顔健康診断センタ２０は、異常がすこしだけでも改善の場合、ステップ総３からステップ総８項目の継続実施を指示する。
【０１１６】
ステップ総１２において、顔健康診断センタ２０は、全く改善兆候が無い場合、体の歪みやコリ以外の要因が考えられるため、早めの病院診察を勧めるメッセージとカルテを鏡端末１０２及びプリンタ１０７に表示と印字を行い、総合診断を終了する。
【０１１７】
次に、笑顔作りモードの流れについて、図２３を参照して説明する。
【０１１８】
ステップ笑１において、サーモカメラ１０１で本人の顔像を撮影し、本人の音声と笑い声を入力し、顔健康診断センタ２０に送信する。
【０１１９】
ステップ笑２において、顔健康診断センタ２０側で本人の顔像から理想の笑顔作りメニューを自動作成する。本人の笑い声から理想の笑い声を作成する。
【０１２０】
ステップ笑３において、１０種類の顔面体操を指示する。
【０１２１】
ステップ笑４において、顔全域の筋肉を使っていき、喜怒哀楽の表情をつくる。顔健康診断センタ２０は笑顔パターン１画像を模範顔として鏡端末１０２の左半分に表示する。
【０１２２】
ステップ笑５において、本人はその模範顔をみて同じように顔を作り、顔健康診断センタ２０に送付する（鏡端末１０２の右半分に表示の顔が今作ったもので、リアルタイムに確認しつつ顔を作る）。
【０１２３】
ステップ笑６において、顔健康診断センタ２０は本人の顔から有名人のものまね出来そうな顔を検索して鏡端末１０２の左半分にサンプル表示し、本人はチャレンジする。
【０１２４】
ステップ笑７において、［わっははは］の理想の笑い声に乗せて、一緒に笑ってもらう。
【０１２５】
ステップ笑８において、顔健康診断センタ２０は落語、司会の名文句等を検索して鏡端末１０２に出力し、本人は声に出して精神高揚化訓練を行う。
【０１２６】
ステップ笑９において、顔健康診断センタ２０側で理想と比較照合して、合格であれば次の笑パターンを鏡端末１０２に送付する。
【０１２７】
ステップ笑１０において、顔全体の筋肉体操および元気のでる声作りを本人からの停止サインがあるまで続ける。
【０１２８】
次に、ツボ指圧モードの流れについて、図２４〜図２５を参照して説明する。
【０１２９】
ステップツボ１において、鏡端末１０２に症状メニューを表示する。
【０１３０】
ステップツボ２において、治療したい症状を選択し、顔健康診断センタ２０に送信する。
【０１３１】
ステップツボ３において、自分で指圧する場合、
顔健康診断センタ２０は鏡端末１０２に本人画像を表示してツボポイントを赤点で表示する。本人は鏡端末１０２に画像表示されたツボポイントを自分で順次指圧する。
【０１３２】
ステップツボ４において、振動マスク１０３使用の場合、
（１）振動マスク１０３の取り付けを鏡端末１０２に表示して指示する。
（２）頭部全体のマッサージかツボポイント指圧かの確認指示を鏡端末１０２に表示し、本人は頭部全体のマッサージかツボポイント指圧かを選択する。
（３）顔健康診断センタ２０側で症状に合わせてツボポイントに振動信号送付、または頭部マッサージ用振動信号の送付を行う。
（４）振動マスク１０３の温度センサ１０３４及び血脈体サック１０６からの血圧脈拍体温を総合加味して振動強度を制御する。
（５）しわ伸ばし用の津波振動を振動マスク１０３に指示して顔面全体を外方向へ細かく、マッサージ兼用で引っ張る。１回３０秒とする。
【０１３３】
ステップツボ５において、ツボチェック手動ローラ１０４使用の場合、
（１）ローラ進行順を示す図９〜図１０に従って、ツボチェック手動ローラ１０４を回転させる。
（２）ツボ検知ランプ１０４７点灯後、顔健康診断センタ２０側で、ツボポイントの疲労度レベルの測定およびツボ名称検索、指圧すべきツボか検証する。
（３）該当するツボの時、指圧および電気刺激レベルを、自覚症状、血圧脈拍体温情報の総合加味してツボチェック手動ローラ１０４に信号送付する。
（４）ツボチェック手動ローラ１０４に指圧すべきポイントであることを、指圧スイッチ１０４６および電気スイッチ１０４４のランプ点滅させて本人に通知する。
（５）指圧スイッチ１０４６または電気スイッチ１０４４押下にて、指圧または電気治療を開始する。
（６）鏡端末１０２にツボの名称、効能、疲労度、血圧、脈拍、体温情報を表示し通知する。
（７）自覚症状の変化、改善具合を再度  本人確認する。
（８）継続指圧か終了かを顔健康診断センタ２０側で判断して本人に通知する。
【０１３４】
ステップツボ６において、ツボチェック半自動ローラ１０５使用の場合、
（１）顔健康診断センタ２０からの装着準備指示で、本人は指圧部位の衣服をとる。
（２）ツボチェック半自動ローラ１０５の装着、ローラスタート、移動は蛇腹の伸縮動作の繰り返しで行う。
（３）以下、ツボチェック手動ローラ１０４と同じ仕組みでツボ探索、指圧、疲労度測定をする。
【０１３５】
次に、自律訓練モードの流れについて、図２６を参照して説明する。
【０１３６】
ステップ自１において、サーモカメラ１０１を拡大カラーモードにして、おでこに焦点を合わせて撮影する。
【０１３７】
ステップ自２において、拡大版のおでこの温度測定ができた段階で、自律訓練開始を表示して通知する。
【０１３８】
ステップ自３において、鏡端末１０２から自律訓練項目の選択を指示する。
（１）色彩訓練：鏡端末を原色表示→見る→色の力、影響力を受け入れる強化訓練。
（２）音柔訓練：柔らかい音を映像と音で表現→音で体が柔らかくなっていく癒し訓練。
（３）温重訓練：暖かくて血がゆっくり流れていく癒し訓練。
（４）映像訓練：癒し系の映像がそのまま、体に染みこんでいく癒し訓練。
（５）漢字訓練：漢字の持つ深い意味合いと強さが、体に染みこんでいく強化訓練。
（６）強化訓練：精神力、やる気、継続力、集中力が出る自己暗示を集中して行う強化訓練。
（７）臭覚訓練：花、お香、食物の映像から臭覚を刺激し癒し訓練。
（８）感触訓練：柔らかい接触映像から柔らかい触感と安らぎを覚える癒し訓練。
【０１３９】
ステップ自４において、顔健康診断センタ２０は各訓練項目に従い鏡端末１０２に映像、音を表示し、本人は鏡端末１０２の映像、音に集中し暗示訓練を開始する。
【０１４０】
ステップ自５において、ユーザ端末１０は本人の呼吸音を顔健康診断センタ２０に送信し、顔健康診断センタ２０は本人の呼吸音から訓練中の理想の呼吸音を作成する。
【０１４１】
ステップ自６において、ユーザ端末１０は血圧脈拍体温の情報と訓練の進捗具合を顔健康診断センタ２０に送信し、顔健康診断センタ２０は血圧脈拍体温の情報と訓練の進捗具合から呼吸のリズムを作成して同訓練を効果的に進める。
【０１４２】
ステップ自７において、訓練の成果として体、脳と体がリラックス状態を示す額の体温、血圧、脈拍、体温の変化情報を顔健康診断センタ２０側で検知して、結果を鏡端末１０２にフィードバック表示させ訓練の進捗具合を確認する。
【０１４３】
ステップ自８において、訓練終了時は、すっきり目覚めさせるため軽い体操と終了ベルの通知で終わる。
【０１４４】
このように、ユーザ端末と顔健康診断センタとを通信網でむすび各動作モードを行うことで、誰でも手軽にいつでも健康診断ができ、以下のような効果を得ることができる。
（１）誰でも手軽にいつでも健康診断ができる。
（２）診断結果はカルテに更新記録していくため、病院行きの場合はそのまま治療データとして利用できる
（３）誰でも顔に集中しているツボを自覚症状に合わせて正しく指圧できる。
（４）改善用の必要なツボが自分のどこにあるのかが、わかること。さらに疲労度が認識できること。ツボ検知用端子がそのまま指圧棒のため、即時改善指圧ができること。
（５）顔から発する情報（皮膚温度、むくみ、ゆがみ、色）をサーモグラフカメラで取り込み本人も気づかない前兆を検知でき、症状改善のための体操、及びツボ治療を指示できる。
（６）顔色自動判定により肝臓、腎臓に潜む症状を早期にキャッチでき、症状改善のための体操、及びツボ治療を指示できる。
（７）顔のしわ、しみ、そばかす等の進み具合を自動検知し、改善用体操とツボ治療を指示できる。
（８）拡大モードで顔の各部が自分で確認できるため、疲労度合いだけでなく、ツボ及び体操効果、食事効果、自律訓練効果が皮膚細胞の改善具合で直接に確認できる。
（９）おでこにサーモグラフを集中撮影することにより、自律訓練並びにイメージトレーニング効果が即座に確認でき、訓練効果が飛躍できる。
（１０）顔のむくみや歪みを初期の段階から検知でき、改善用体操とツボ治療を通知指示できる。
（１１）耳、舌の温度検知並びに皮膚拡大図と色判定から血液循環具合、栄養バランス、ストレス度を診断し改善用体操とツボ治療指示ができる。
（１２）理想の笑顔作りと笑い声が楽しみながらできる。
（１３）名司会、名台詞を顔面体操兼用で行うことで、気持ちのゆとりがでてくること。
（１４）有名人の物まね兼用で顔面体操を行うことで、楽しみつつ改善ができること。
（１５）体型の歪みから自覚症状の裏付け並びに前兆を検知し、改善用体操及びツボ治療を指示できる。
【０１４５】
本発明による上述した実施の形態において、健康診断システムの処理動作を実行するためのプログラム等を、データとしてコンピュータの磁気ディスクや光ディスク等の記録媒体（図示せず）に記録するようにし、記録されたデータを読み出して健康診断システムを動作させるために用いる。このように、本発明による健康診断システムを動作させるデータを記録媒体に記録させ、この記録媒体をインストールすることにより健康診断システムの機能が実現できるようになる。
【図面の簡単な説明】
【０１４６】
【図１】本発明の全体の構成図
【図２】サーモカメラの構成図
【図３】顔面スキャナの構成図
【図４】顔面スキャナの処理構成を示す図
【図５】顔面スキャナの（ａ）上断面図（ｂ）側面図
【図６】振動マスクの（ａ）正面図（ｂ）側面図（ｃ）断面図
【図７】ツボチェック手動ローラの構成図
【図８】ツボチェックローラの断面図
【図９】ツボチェックローラのスキャン方向前面図
【図１０】ツボチェックローラのスキャン方向後面図
【図１１】ツボチェックローラとツボ抵抗値の関係図
【図１２】ツボチェック半自動ローラの断面図
【図１３】ツボチェック半自動ローラ104の手足移動図
【図１４】ツボチェック半自動ローラ104の胴移動図
【図１５】顔面１６分割図
【図１６】舌１０分割図
【図１７】右手甲１０分割図
【図１８】準備の流れを示す図
【図１９】診断モードの流れを示す図（その１）
【図２０】診断モードの流れを示す図（その２）
【図２１】診断モードの流れを示す図（その３）
【図２２】診断モードの流れを示す図（その４）
【図２３】笑顔作りモードの流れを示す図
【図２４】ツボ指圧モードの流れを示す図（その１）
【図２５】ツボ指圧モードの流れを示す図（その２）
【図２６】自律訓練モードの流れを示す図
【符号の説明】
【０１４７】
１０    ユーザ端末
２０    顔健康診断センタ
３０    操作スイッチ
１００    ネットワーク
１０１    サーモカメラ
１０２    鏡端末
１０３    振動マスク
１０４    ツボチェック手動ローラ
１０５    ツボチェック半自動ローラ
１０６    血脈体サック
１０７    プリンタ
１０８    通信機
１０９    顔面スキャナ
２０１    ソフト処理部
２０２    診断プログラム群
２０３    ＤＢ群
１０３１    頭部装着マスク
１０３２    振動子
１０３３    振動波発生器
１０３４    温度センサ
１０４１    ツボ検知子
１０４２    回転計
１０４３    検索スイッチ
１０４４    電気スイッチ
１０４５    リセットスイッチ
１０４６    指圧スイッチ
１０４７    ツボ検知ランプ
１０９１    水分計
１０９２    あご台
１０９３    スキャナＵ字駆動器
１０９４    光源
１０９５    反射光検知センサ
１０９６    マイナスイオン・ビタミン噴射器
【図１】
2005065812.tif 000003
【図２】
2005065812.tif 000004
【図３】
2005065812.tif 000005
【図４】
2005065812.tif 000006
【図５】
2005065812.tif 000007
【図６】
2005065812.tif 000008
【図７】
2005065812.tif 000009
【図８】
2005065812.tif 000010
【図９】
2005065812.tif 000011
【図１０】
2005065812.tif 000012
【図１１】
2005065812.tif 000013
【図１２】
2005065812.tif 000014
【図１３】
2005065812.tif 000015
【図１４】
2005065812.tif 000016
【図１５】
2005065812.tif 000017
【図１６】
2005065812.tif 000018
【図１７】
2005065812.tif 000019
【図１８】
2005065812.tif 000020
【図１９】
2005065812.tif 000021
【図２０】
2005065812.tif 000022
【図２１】
2005065812.tif 000023
【図２２】
2005065812.tif 000024
【図２３】
2005065812.tif 000025
【図２４】
2005065812.tif 000026
【図２５】
2005065812.tif 000027
【図２６】
2005065812.tif 000028